(57)【特許請求の範囲】
【請求項１】
それぞれに吸着剤が担持された吸着用部材（51,52）が設けられて空気を流入又は流出させるための空気流通口が開口する第１調湿室（37）及び第２調湿室（38）が、形成されたケーシング（11）を備え、
上記ケーシング（11）には、上記空気流通口を開閉する複数のダンパ（41〜50）が設けられ、
上記各ダンパ（41〜50）が空気流通口を開状態と閉状態との間で切り換える切換動作を行うことによって、第１調湿室（37）の吸着用部材（51,52）で第１空気を除湿すると同時に第２調湿室（38）の吸着用部材（51,52）で第２空気を加湿する第１動作と、第２調湿室（38）の吸着用部材（51,52）で第１空気を除湿すると同時に第１調湿室（37）の吸着用部材（51,52）で第２空気を加湿する第２動作とが交互に行われる調湿装置であって、
上記切換動作におけるダンパ（41〜50）の異常を個別に検知する異常検知手段（65）と、
上記切換動作を行うダンパ（41〜50）に対して、該切換動作の実行を指令する切換指令を出力する切換制御手段（64）とを備える一方、
上記異常検知手段（65）は、上記切換指令の出力時点から所定の第１基準時間が経過した時点で上記切換動作が完了していないダンパ（41〜50）を異常であると判定し、
上記異常検知手段（65）は、上記ダンパ（41〜50）の切換動作の完了後も所定の第３基準時間に亘って、該ダンパ（41〜50）が切換動作の完了時点の状態を維持しているか否かを確認することを特徴とする調湿装置。
【請求項２】
請求項１において、
上記ケーシング（11）内には、第１調湿室（37）及び第２調湿室（38）に空気を送るための給気ファン（26）及び排気ファン（25）が設けられる一方、
上記異常検知手段（65）は、上記ダンパ（41〜50）の異常を検知した場合に、上記給気ファン（26）及び排気ファン（25）のうち異常を検知したダンパ（41〜50）が開閉する空気流通口に空気を送る方を少なくとも停止させることを特徴とする調湿装置。
【請求項３】
請求項１又は２において、
上記第１調湿室（37）及び第２調湿室（38）の各吸着用部材（51,52）は、吸着熱交換器により構成され、圧縮機（53）と共に冷媒回路（56）に接続される一方、
上記異常検知手段（65）は、上記ダンパ（41〜50）の異常を検知した場合に、上記圧縮機（53）を停止させることを特徴とする調湿装置。
【請求項４】
請求項１において、
上記異常検知手段（65）により異常であると判定されたダンパ（41〜50）は、判定後も上記切換動作を継続する一方、
上記異常検知手段（65）は、上記切換指令の出力時点から上記第１基準時間よりも長い所定の第２基準時間が経過した時点まで上記ダンパ（41〜50）の切換動作を継続させても該切換動作が完了しない場合には、該ダンパ（41〜50）の切換動作を停止させることを特徴とする調湿装置。
【請求項５】
請求項１又は４において、
上記異常検知手段（65）は、異常の検知回数が所定回数に達したダンパ（41〜50）に対して、上記切換動作を停止させることを特徴とする調湿装置。
【請求項６】
請求項１乃至５の何れか１つにおいて、
上記ケーシング（11）には、ダンパ（49,50）によって開閉される空気流通口が開口して、該ダンパ（49,50）によって空気流通口が開状態に設定される場合に第１調湿室（37）及び第２調湿室（38）をバイパスする空気が流通するバイパス通路（81,82）が形成される一方、
上記異常検知手段（65）は、上記バイパス通路（81,82）のダンパ（49,50）についても切換動作における異常を検知することを特徴とする調湿装置。
【発明の詳細な説明】
【技術分野】
【０００１】
本発明は、空気の湿度調節を行う調湿装置に関するものである。
【背景技術】
【０００２】
従来より、空気の湿度調節を行う調湿装置が知られている。例えば、特許文献１には、表面に吸着剤が担持された吸着熱交換器を用いて、空気の湿度調節を行う調湿装置が開示されている。
【０００３】
具体的に、特許文献１に開示された調湿装置は、第１吸着熱交換器及び第２吸着熱交換器が接続された冷媒回路を備えている。冷媒回路では、第１吸着熱交換器が凝縮器として機能して第２吸着熱交換器が蒸発器として機能する状態と、第２吸着熱交換器が凝縮器として機能して第１吸着熱交換器が蒸発器として機能する状態とが交互に行われる。蒸発器として機能する吸着熱交換器では、吸着剤に空気中の水分が吸着される。凝縮器として機能する吸着熱交換器では、水分が吸着剤から脱離して空気に付与される。
【０００４】
また、この調湿装置では、ケーシング内における空気の流通経路を切り換えることによって、第１吸着熱交換器で空気を除湿して第２吸着熱交換器で空気を加湿する動作と、第１吸着熱交換器で空気を加湿して第２吸着熱交換器で空気を除湿する動作とが交互に行われる。例えば除湿運転では、各動作において、除湿された空気が室内へ供給され、加湿された空気が室外へ排気されるように、空気の流通経路が切り換えられる。空気の流通経路は、８つのダンパの開閉状態を調節することによって切り換えられる。
【特許文献１】特開２００５−２９１５３２号公報
【発明の開示】
【発明が解決しようとする課題】
【０００５】
ところで、この種の調湿装置では、調湿室に開口する空気流通口を開状態と閉状態との間で切り換える切換動作をダンパが行う際に、ダンパが正常に動作しない場合がある。このため、従来の調湿装置では、ケーシング内の空気の流通経路が意図しない状態になる場合があり、所望の機能が発揮されない状態で運転が継続されるおそれがあった。
【０００６】
本発明は、かかる点に鑑みてなされたものであり、その目的は、調湿室に開口する空気流通口がダンパによって開閉される調湿装置において、ケーシング内の空気の流通経路が意図しない状態になっていることを検知可能に構成することにある。
【課題を解決するための手段】
【０００７】
第１の発明は、それぞれに吸着剤が担持された吸着用部材（51,52）が設けられて空気を流入又は流出させるための空気流通口が開口する第１調湿室（37）及び第２調湿室（38）が、形成されたケーシング（11）を備え、上記ケーシング（11）には、上記空気流通口を開閉する複数のダンパ（41〜50）が設けられ、上記各ダンパ（41〜50）を開状態と閉状態との間で切り換える切換動作を行うことによって、第１調湿室（37）の吸着用部材（51,52）で第１空気を除湿すると同時に第２調湿室（38）の吸着用部材（51,52）で第２空気を加湿する第１動作と、第２調湿室（38）の吸着用部材（51,52）で第１空気を除湿すると同時に第１調湿室（37）の吸着用部材（51,52）で第２空気を加湿する第２動作との切り換えが行われる調湿装置を対象とする。そして、この調湿装置は、上記切換動作におけるダンパ（41〜50）の異常を個別に検知する異常検知手段（65）と、上記切換動作を行うダンパ（41〜50）に対して、該切換動作の実行を指令する切換指令を出力する切換制御手段（64）とを備えている。
【０００８】
上記異常検知手段（65）は、上記切換指令の出力時点から所定の第１基準時間が経過した時点で上記切換動作が完了していないダンパ（41〜50）を異常であると判定する。さらに、上記異常検知手段（65）は、上記ダンパ（41〜50）の切換動作の完了後も所定の第３基準時間に亘って、該ダンパ（41〜50）が切換動作の完了時点の状態を維持しているか否かを確認する。
【０００９】
第１の発明では、各ダンパ（41〜50）が空気流通口を開状態と閉状態との間で切り換える切換動作を行うことによって、第１空気が第１調湿室（37）を通過すると同時に第２空気が第２調湿室（38）を通過する第１動作と、第１空気が第２調湿室（38）を通過すると同時に第２空気が第１調湿室（37）を通過する第２動作とが、交互に行われる。その際、異常検知手段（65）は、ダンパ（41〜50）に異常がないかを個別に検知している。異常検知手段（65）は、ダンパ（41〜50）によって閉状態に設定されるはずの空気流通口が閉状態に設定されない場合や、ダンパ（41〜50）によって開状態に設定されるはずの空気流通口が開状態に設定されない場合に、ダンパ（41〜50）が異常であると判断する。
【００１０】
特に、切換制御手段（64）が、ダンパ（41〜50）に切換指令を出力するとダンパ（41〜50）が切換動作を開始する。そして、異常検知手段（65）は、切換指令の出力時点から所定の第１基準時間が経過して時点でダンパ（41〜50）の切換動作が完了していない場合に、そのダンパ（41〜50）を異常であると判定する。
【００１１】
また、ダンパ（41〜50）が切換動作の完了時点の状態を維持しているか否かが、ダンパ（41〜50）の切換動作の完了から第３基準時間に亘って確認される。つまり、開状態から閉状態へ切り換わったダンパ（41〜50）が閉状態を維持しているか否かと、閉状態から開状態へ切り換わったダンパ（41〜50）が開状態を維持しているか否かとが、ダンパ（41〜50）の切換動作の完了後も第３基準時間に亘って確認される。この発明では、ダンパ（41〜50）の切換動作の完了後にダンパ（41〜50）が意図せず動作するような事態が検知される。
【００１２】
第２の発明は、上記第１の発明において、上記ケーシング（11）内には、第１調湿室（37）及び第２調湿室（38）に空気を送るための給気ファン（26）及び排気ファン（25）が設けられる一方、上記異常検知手段（65）は、上記ダンパ（41〜50）の異常を検知した場合に、上記給気ファン（26）及び排気ファン（25）のうち異常を検知したダンパ（41〜50）が開閉する空気流通口に空気を送る方を少なくとも停止させる。
【００１３】
第２の発明では、ダンパ（41〜50）の異常が検知された場合に、異常が検知されたダンパ（41〜50）が開閉する空気流通口に空気を送っているのが給気ファン（26）である場合には、少なくとも給気ファン（26）が停止される。異常が検知されたダンパ（41〜50）が開閉する空気流通口に空気を送っているのが排気ファン（25）である場合には、少なくとも排気ファン（25）が停止される。この第２の発明では、異常検知手段（65）がダンパ（41〜50）の異常を検知した場合に、異常が検知されたダンパ（41〜50）が開閉する空気流通口を通過する空気の流れが止められる。
【００１４】
第３の発明は、上記第１又は第２の発明において、上記第１調湿室（37）及び第２調湿室（38）の各吸着用部材（51,52）は、吸着熱交換器により構成され、圧縮機（53）と共に冷媒回路（56）に接続される一方、上記異常検知手段（65）は、上記ダンパ（41〜50）の異常を検知した場合に、上記圧縮機（53）を停止させる。
【００１５】
第３の発明では、冷媒回路（56）に、圧縮機（53）と、第１調湿室（37）の吸着用部材（51）を構成する吸着熱交換器（51と、第２調湿室（38）の吸着用部材（52）を構成する吸着熱交換器（52）とが接続されている。冷媒回路（56）では、圧縮機（53）を運転させると、一方の吸着熱交換器（51,52）で冷媒が放熱して他方の吸着熱交換器（51,52）で冷媒が吸熱する。この第３の発明では、異常検知手段（65）が、ダンパ（41〜50）の異常を検知した場合に、吸着熱交換器（51,52）に冷媒を送る圧縮機（53）が停止される。
【００１６】
第４の発明は、上記第１の発明において、上記異常検知手段（65）により異常であると判定されたダンパ（41〜50）は、判定後も上記切換動作を継続する一方、上記異常検知手段（65）は、上記切換指令の出力時点から上記第１基準時間よりも長い所定の第２基準時間が経過した時点まで上記ダンパ（41〜50）の切換動作を継続させても該切換動作が完了しない場合には、該ダンパ（41〜50）の切換動作を停止させる。
【００１７】
第４の発明では、異常検知手段（65）により異常であると判定されたダンパ（41〜50）の切換動作が、判定後も継続される。そして、切換指令の出力時点からの経過時間が第２基準時間に達するまで切換動作を継続しても切換動作が完了しないダンパ（41〜50）は、切換動作が停止される。
【００１８】
第５の発明は、上記第１又は第４の発明において、上記異常検知手段（65）が、異常の検知回数が所定回数に達したダンパ（41〜50）に対して、上記切換動作を停止させる。
【００１９】
第５の発明では、異常の検知回数が所定回数に達したダンパ（41〜50）の切換動作が停止される。つまり、切換指令の出力時点から所定の第１基準時間が経過するまでに切換動作が完了しない事態が所定回数に達したダンパ（41〜50）は、停止させられる。
【００２０】
第６の発明は、上記第１乃至第５の何れか１つの発明において、上記ケーシング（11）には、ダンパ（49,50）によって開閉される空気流通口が開口して、該ダンパ（49,50）によって空気流通口が開状態に設定される場合に第１調湿室（37）及び第２調湿室（38）をバイパスする空気が流通するバイパス通路（81,82）が形成される一方、上記異常検知手段（65）は、上記バイパス通路（81,82）のダンパ（49,50）についても切換動作における異常を検知する。
【００２１】
第６の発明では、ケーシング（11）内にバイパス通路（81,82）が形成されている。異常検知手段（65）は、バイパス通路（81,82）のダンパ（49,50）についても切換動作における異常を検知することができるように構成されている。
【発明の効果】
【００２２】
本発明では、切換動作におけるダンパ（41〜50）の異常を個別に検知する異常検知手段（65）を設けることで、切換動作におけるダンパ（41〜50）の異常を検知することが可能になるようにしている。ダンパ（41〜50）の異常が検知された状態では、ダンパ（41〜50）によって閉じられるべき空気流通口に空気が流通したり、ダンパ（41〜50）によって開けられるべき空気流通口で空気の流れが妨げられたりしている。つまり、異常が検知されたダンパ（41〜50）では、意図する空気の流れが妨げられている。従って、異常検知手段（65）を設けることで、ケーシング（11）内の空気の流通経路が意図しない状態になっていることを検知することができる。
【００２３】
また、ダンパ（41〜50）の切換動作の完了後にダンパ（41〜50）が意図せず動作するような事態が検知される。このため、ダンパ（41〜50）の切換動作の完了後に、ケーシング（11）内の空気の流通経路が意図しない状態になっていることを検知することができる。
【００２４】
また、上記第２の発明では、ダンパ（41〜50）の異常が検知された場合に、異常が検知されたダンパ（41〜50）が開閉する空気流通口へ向かう空気の流れが止められる。ここで、開状態になるはずのダンパ（41〜50）が閉状態になっている場合のダンパ（41〜50）の異常では、本体は空気が流通するはずの空気流通口がダンパ（41〜50）によって塞がれているので、その空気流通口へ空気を送るファン（25,26）の負荷が増大し、そのファン（25,26）が故障するおそれがある。また、閉状態になるはずのダンパ（41〜50）が開状態になっている場合のダンパ（41〜50）の異常では、本体は空気が流通しないはずの空気流通口が開いているので、例えば除湿運転の際に加湿された空気が給気側へ流入したり、加湿運転の際に除湿された空気が給気側へ流入するおそれがある。これに対して、この第２の発明では、ダンパ（41〜50）の異常が検知された場合に、異常が検知されたダンパ（41〜50）が開閉する空気流通口へ向かう空気の流れが止められる。このため、上述したようなファン（25,26）の故障や、例えば本来は給気側へ流れない空気が給気側へ流れるような不具合を回避することができる。
【００２５】
また、上記第３の発明では、ダンパ（41〜50）の異常が検知された場合に、吸着熱交換器（51,52）に冷媒を送る圧縮機（53）が停止されるようにしている。ここで、ダンパ（41〜50）に異常がある場合には、吸着熱交換器（51,52）で放熱量や吸熱量を確保できなくなり、冷凍サイクルを適切に行うことが困難になる。この第３の発明では、上述したように、ダンパ（41〜50）の異常が検知された場合に圧縮機（53）が停止される。このため、吸着熱交換器（51,52）で放熱量や吸熱量を確保することができるので、冷凍サイクルを適切に行うことができる。
【００２６】
また、上記第４の発明では、切換指令の出力時点からの経過時間が第２基準時間に達するまで切換動作を継続しても切換動作が完了しないダンパ（41〜50）が、切換動作が停止される。つまり、切換指令の出力時点からの経過時間が第２基準時間に達するまで切換動作を行っても切換動作が完了しないダンパ（41〜50）は、これ以上切換動作を継続しても切換動作を完了させることができないと判断して、切換動作が停止される。従って、ダンパ（41〜50）の切換動作を完了させることができるか否かを十分に見極めた上で、切換動作を完了できないダンパ（41〜50）の切換動作が無駄に継続されることを防止できる。
【００２７】
また、第５の発明では、異常の検知回数が所定回数に達したダンパ（41〜50）が停止されるようにしている。つまり、異常が多いと判断されたダンパ（41〜50）が停止される。このため、異常が多いダンパ（41〜50）を認識することができるので、そのダンパ（41〜50）に対して修理するなどの措置を取ることができる。
【００２８】
また、上記第６の発明では、ケーシング（11）内にバイパス通路（81,82）が形成された調湿装置において、バイパス通路（81,82）のダンパ（41〜50）についても切換動作における異常を検知することができるようにしている。従って、バイパス通路（81,82）を含めてケーシング（11）内の空気の流通経路が意図しない状態になっていることを検知することができる。
【発明を実施するための最良の形態】
【００２９】
以下、本発明の実施形態を図面に基づいて詳細に説明する。本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００３０】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００３１】
調湿装置（10）は、ケーシング（11）を備えている。また、ケーシング（11）内には、冷媒回路（56）が収容されている。この冷媒回路（56）には、第１吸着熱交換器（51）、第２吸着熱交換器（52）、圧縮機（53）、四方切換弁（54）、及び電動膨張弁（55）が接続されている。冷媒回路（56）の詳細は後述する。
【００３２】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００３３】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００３４】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３５】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３６】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３７】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３８】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３９】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。第１熱交換器室（37）は第１調湿室を構成し、第２熱交換器室（38）は第２調湿室を構成している。また、図示しないが、第１熱交換器室（37）には、冷媒回路（56）の電動膨張弁（55）が収容されている。
【００４０】
各吸着熱交換器（51,52）は、吸着用部材を構成している。各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００４１】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００４２】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。第１内気側ダンパ（41）及び第１外気側ダンパ（43）は、第１熱交換器室（37）に開口する空気流通口を開口する。第２内気側ダンパ（42）及び第２外気側ダンパ（44）は、第２熱交換器室（38）に開口する空気流通口を開口する。
【００４３】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。第１給気側ダンパ（45）及び第１排気側ダンパ（47）は、第１熱交換器室（37）に開口する空気流通口を開口する。第２給気側ダンパ（46）及び第２排気側ダンパ（48）は、第２熱交換器室（38）に開口する空気流通口を開口する。
【００４４】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４５】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４６】
給気ファン室（36）には、冷媒回路（56）の圧縮機（53）と四方切換弁（54）とが収容されている。圧縮機（53）及び四方切換弁（54）は、給気ファン室（36）における給気ファン（26）と仕切板（77）との間に配置されている。
【００４７】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（49）が設けられている。第１バイパス用ダンパ（49）は、第１バイパス通路（81）に開口する空気流通口を開口する。
【００４８】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（50）が設けられている。第２バイパス用ダンパ（83）は、第１バイパス通路（81）に開口する空気流通口を開口する。
【００４９】
なお、図２の右側面図及び左側面図では、第１バイパス通路（81）、第２バイパス通路（82）、第１バイパス用ダンパ（49）、及び第２バイパス用ダンパ（50）の図示を省略している。
【００５０】
各ダンパ（41〜50）は、ダンパモータを備えている。各ダンパ（41〜50）は、ダンパモータに通電すると、空気流通口を開状態と閉状態との間で切り換える切換動作を実行するように構成されている。また、各ダンパ（41〜50）には、ダンパ（41〜50）が開状態であるか閉状態であるかを検出するためのリミットスイッチがそれぞれ設けられている。各リミットスイッチは、ダンパ（41〜50）が開状態の場合にはオン状態になり、ダンパ（41〜50）が閉状態の場合にはオフ状態になるように設けられている。各リミットスイッチは、後述するコントローラ（30）に接続されている。
【００５１】
〈冷媒回路の構成〉
図３に示すように、冷媒回路（56）は、第１吸着熱交換器（51）、第２吸着熱交換器（52）、圧縮機（53）、四方切換弁（54）、及び電動膨張弁（55）が設けられた閉回路である。この冷媒回路（56）は、充填された冷媒を循環させることによって、蒸気圧縮冷凍サイクルを行う。
【００５２】
冷媒回路（56）において、圧縮機（53）は、その吐出側が四方切換弁（54）の第１のポートに、その吸入側が四方切換弁（54）の第２のポートにそれぞれ接続されている。また、冷媒回路（56）では、第１吸着熱交換器（51）と電動膨張弁（55）と第２吸着熱交換器（52）とが、四方切換弁（54）の第３のポートから第４のポートへ向かって順に接続されている。
【００５３】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００５４】
冷媒回路（56）において、圧縮機（53）の吐出側と四方切換弁（54）の第１のポートとを繋ぐ配管には、高圧圧力センサ（91）と、吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００５５】
また、冷媒回路（56）において、圧縮機（53）の吸入側と四方切換弁（54）の第２のポートとを繋ぐ配管には、低圧圧力センサ（92）と、吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００５６】
また、冷媒回路（56）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００５７】
<コントローラの構成>
本実施形態の調湿装置（10）には、調湿装置（10）の運転を制御するためのコントローラ（30）が設けられている。コントローラ（30）は、図４に示すように、圧縮機制御部（61）とファン制御部（62）と弁制御部（59）とダンパ制御部（63）とを備えている。
【００５８】
圧縮機制御部（61）は、圧縮機（53）の運転状態を制御するように構成されている。ファン制御部（62）は、給気ファン（26）及び排気ファン（25）の運転状態を制御するように構成されている。弁制御部（59）は、四方切換弁（54）及び電動膨張弁（55）の動作を制御するように構成されている。
【００５９】
ダンパ制御部（63）は、図５に示すように、切換制御手段である切換制御部（64）と、異常検知手段である異常検知部（65）とを備えている。切換制御部（64）は、ダンパ（41〜50）が空気流通口を開状態と閉状態との間で切り換える切換動作を制御するように構成されている。切換制御部（64）は、上述した１０個のダンパ（41〜50）の切換動作を個別に制御する。
【００６０】
切換制御部（64）には、後述する除湿換気運転の第１動作と、除湿換気運転の第２動作と、加湿換気運転の第１動作と、加湿換気運転の第２動作と、単純換気運転とのそれぞれについてダンパ（41〜50）の開閉状態の組合せが予め記憶されている。切換制御部（64）は、運転状態の切り換えが行われる場合と、第１動作と第２動作との切り換えが行われる場合とに、切り換え後のダンパ（41〜50）の開閉状態の組合せに基づいて切換動作を行うダンパ（41〜50）を選択する。そして、切換制御部（64）は、選択したダンパ（41〜50）に対して、切換動作の実行を指令する切換指令を出力する。切換制御部（64）は、ダンパ（41〜50）を閉状態から開状態へ切り換える場合には、指示値を「開」とする切換指令を出力し、ダンパ（41〜50）を開状態から閉状態へ切り換える場合には、指示値を「閉」とする切換指令を出力する。
【００６１】
異常検知部（65）は、切換動作におけるダンパ（41〜50）の異常を検知する異常検知動作を実行可能に構成されている。異常検知部（65）には、異常待機フラグと故障確定フラグとが設定されている。各フラグは、所定の条件が成立した場合に、オンとオフとの切り換えが行われる。なお、異常検知動作についての詳細は後述する。
【００６２】
異常検知部（65）には、判定部（66）と現在値保持部（67）とダンパタイマ（68）と異常計測カウンタ（69）とが設けられている。判定部（66）は、各ダンパ（41〜50）について、切換動作時に異常があるか否かを判定することができるように構成されている。現在値保持部（67）は、各ダンパ（41〜50）の状態について、開状態であるか閉状態であるかの現在値を保持している。ダンパタイマ（68）は、切換制御部（64）が切換指令を出力した時点からの時間を計測する。異常計測カウンタ（69）は、各ダンパ（41〜50）について、異常と検知された回数である異常検知回数を計測する。なお、異常計測カウンタ（69）は、調湿装置（10）が例えばリモコンによってリセットされた場合、故障確定フラグがオン状態になった場合、電源入力後の調湿装置（10）の運転継続時間が所定の時間（例えば、２００分）に達した場合にリセットされる。
【００６３】
−運転動作−
本実施形態の調湿装置（10）は、除湿換気運転と、加湿換気運転と、単純換気運転とを選択的に行う。除湿換気運転中や加湿換気運転中の調湿装置（10）は、取り込んだ室外空気（OA）を湿度調節してから供給空気（SA）として室内へ供給すると同時に、取り込んだ室内空気（RA）を排出空気（EA）として室外へ排出する。一方、単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。
【００６４】
〈除湿換気運転〉
除湿換気運転中の調湿装置（10）では、第１バイパス用ダンパ（49）及び第２バイパス用ダンパ（50）以外のダンパ（41〜48）が空気流通口を開状態と閉状態との間で切り換える切換動作を行うことによって、後述する第１動作と第２動作が所定の時間間隔（例えば３分間隔）で交互に繰り返される。この除湿換気運転中において、第１バイパス用ダンパ（49）及び第２バイパス用ダンパ（50）は、常に閉状態となる。
【００６５】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００６６】
先ず、除湿換気運転の第１動作について説明する。図６に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（56）では、四方切換弁（54）が第１状態（図３(Ａ)に示す状態）に設定され、第１吸着熱交換器（51）が凝縮器となって第２吸着熱交換器（52）が蒸発器となる。
【００６７】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００６８】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００６９】
次に、除湿換気運転の第２動作について説明する。図７に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（56）では、四方切換弁（54）が第２状態（図３(Ｂ)に示す状態）に設定され、第１吸着熱交換器（51）が蒸発器となって第２吸着熱交換器（52）が凝縮器となる。
【００７０】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００７１】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００７２】
〈加湿換気運転〉
加湿換気運転中の調湿装置（10）では、第１バイパス用ダンパ（49）及び第２バイパス用ダンパ（50）以外のダンパ（41〜48）が空気流通口を開状態と閉状態との間で切り換える切換動作を行うことによって、後述する第１動作と第２動作が所定の時間間隔（例えば４分間隔）で交互に繰り返される。この加湿換気運転中において、第１バイパス用ダンパ（49）及び第２バイパス用ダンパ（50）は、常に閉状態となる。
【００７３】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００７４】
先ず、加湿換気運転の第１動作について説明する。図８に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（56）では、四方切換弁（54）が第１状態（図３(Ａ)に示す状態）に設定され、第１吸着熱交換器（51）が凝縮器となって第２吸着熱交換器（52）が蒸発器となる。
【００７５】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００７６】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００７７】
次に、加湿換気運転の第２動作について説明する。図９に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（56）では、四方切換弁（54）が第２状態（図３(Ｂ)に示す状態）に設定され、第１吸着熱交換器（51）が蒸発器となって第２吸着熱交換器（52）が凝縮器となる。
【００７８】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００７９】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００８０】
〈単純換気運転〉
単純換気運転中における調湿装置（10）の動作について、図１０を参照しながら説明する。
【００８１】
単純換気運転中の調湿装置（10）では、第１バイパス用ダンパ（49）及び第２バイパス用ダンパ（50）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（56）の圧縮機（53）は停止状態となる。
【００８２】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（49）を通って給気ファン室（36）へ流入し、その後に給気口（22）を通って室内へ供給される。
【００８３】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（50）を通って排気ファン室（35）へ流入し、その後に排気口（21）を通って室外へ排出される。
【００８４】
−コントローラの動作−
ダンパ（41〜50）が切換動作を行う際のコントローラ（30）の動作について説明する。なお、以下では、除湿換気運転の際に第１動作から第２動作へ切り換えるときの切換動作について説明する。
【００８５】
まず、ダンパ制御部（63）の切換制御部（64）は、切換動作を行うダンパ（41〜48）に対して、切換動作の実行を指令する切換指令を出力する。具体的に、切換制御部（64）は、第１内気側ダンパ（41）、第２外気側ダンパ（44）、第２給気側ダンパ（46）、及び第１排気側ダンパ（47）の各ダンパに対して、指示値を「開」とする切換指令を出力する。また、切換制御部（64）は、第２内気側ダンパ（42）、第１外気側ダンパ（43）、第１給気側ダンパ（45）、及び第２排気側ダンパ（48）の各ダンパに対して、指示値を「閉」とする切換指令を出力する。切換指令が入力された各ダンパ（41〜48）では、ダンパモータが起動され、切換動作が開始される。なお、切換指令の出力と同時にダンパタイマ（68）が起動され、切換指令の出力時点からの経過時間が計測される。
【００８６】
切換制御部（64）は、切換指令を出力した直後から、切換指令を出力した各ダンパ（41〜48）のリミットスイッチの出力の検出を開始する。リミットスイッチの出力の検出は、所定の時間間隔（例えば５秒間隔）で行われる。なお、リミットスイッチの出力の検出は、切換動作を行うダンパ（41〜48）のリミットスイッチに対してのみ行われる。
【００８７】
切換制御部（64）は、指示値を「開」とする切換指令を出力したダンパ（41,44,46,47）に対しては、図１１に示すように、リミットスイッチの出力がオン状態になっていることを所定回数（例えば３回）連続して検出した場合に、そのダンパ（41,44,46,47）に対して切換動作の完了を確定させる。現在値保持部（67）は、閉状態から開状態への切換動作の完了が確定したダンパ（41,44,46,47）の現在値を「開」に変更する。
【００８８】
また、切換制御部（64）は、指示値を「閉」とする切換指令を出力したダンパ（42,43,45,48）に対しては、リミットスイッチの出力がオフ状態になっていることを所定回数（例えば３回）連続して検出した場合に、そのダンパ（42,43,45,48）に対して切換動作の完了を確定させる。現在値保持部（67）は、開状態から閉状態への切換動作の完了が確定したダンパ（42,43,45,48）の現在値を「閉」に変更する。
【００８９】
なお、切換制御部（64）は、切換動作の完了を確定させても、ダンパ（41〜48）のダンパモータをすぐには停止させない。ダンパモータは、切換動作の完了の確定から所定の第３基準時間（例えば２００秒）が経過した時点で停止される。また、切換制御部（64）は、ダンパモータを停止するまでは、リミットスイッチの出力の検出を継続する。
【００９０】
この実施形態では、ダンパ（41〜48）の切換動作の際に、ダンパ制御部（63）の異常検知部（65）がダンパ（41〜48）の異常を検知する異常検知動作を実行する。異常検知動作は、ダンパ（41〜48）毎に個別に行われる。以下に、異常検知動作について説明する。
【００９１】
図１２に示すように、異常検知部（65）は、少なくとも１つのダンパ（41〜48）に対して第１条件が成立する場合に、第１条件が成立したダンパ（41〜48）が異常であると判断して、異常待機フラグをオン状態に設定する。また、異常検知部（65）は、第２条件が成立する場合に、異常待機フラグをオフ状態に設定する。また、異常検知部（65）は、少なくとも１つのダンパ（41〜48）に対して第３条件が成立する場合に、故障確定フラグをオン状態に設定する。故障確定フラグがオン状態に設定されると、例えばケーシング（11）の表示部に、ダンパの故障の故障を表す例えばコード番号が表示される。故障確定フラグは、調湿装置（10）が例えばリモコンによってリセットされた場合にオフ状態に設定される。
【００９２】
具体的に、第１条件は、第１−１条件と第１−２条件との２つの条件から構成されている。第１−１条件は、ダンパタイマ（68）の計測時間が第１基準時間（例えば２０秒）に達した時点で、つまり切換指令の出力時点からの経過時間が第１基準時間に達した時点で切換動作の完了が確定していないという条件である。第１−２条件は、異常計測カウンタ（69）の計測回数が４回以下であるという条件である。第１条件は、第１−１条件と第１−２条件との両方が成立する場合に成立する。第１条件が成立するか否かは判定部（66）で判定される。
【００９３】
異常検知部（65）は、少なくとも１つのダンパ（41〜48）について第１条件が成立すると、異常待機フラグをオン状態に設定する。異常検知部（65）は、異常待機フラグをオン状態に設定すると、圧縮機制御部（61）に圧縮機（53）の停止指令を出力すると共に、ファン制御部（62）に給気ファン（26）及び排気ファン（25）の両ファンの停止指令を出力する。圧縮機制御部（61）は、停止指令を受けると圧縮機（53）を停止させる。また、ファン制御部（62）も、停止指令を受けると、給気ファン（26）及び排気ファン（25）を停止させる。また、異常計測カウンタ（69）では、第１条件が成立したダンパ（41〜48）の異常検知回数が１つ増やされる。
【００９４】
この実施形態では、異常待機フラグがオン状態に設定されている間は、ケーシング（11）内における空気の流れが止められる。このため、本体は空気が流通するはずの空気流通口がダンパ（41〜48）によって塞がれている状態で、その空気流通口へ空気を送るファン（25,26）の運転が継続されることがないので、ファン（25,26）の負荷が増大することが回避される。
【００９５】
また、本体は空気が流通しないはずの空気流通口が開いている状態で、ファン（25,26）の運転が継続されることがないので、例えば除湿運転の際に加湿された空気が給気側へ流入したり、加湿運転の際に除湿された空気が給気側へ流入することが回避される。
【００９６】
また、この実施形態では、異常待機フラグがオン状態に設定されている間は、圧縮機（53）が停止される。このため、蒸発器として動作する吸着熱交換器（51,52）や、凝縮器として動作する吸着熱交換器（51,52）に空気が供給されない状態で圧縮機（53）の運転が継続されることを回避することができる。
【００９７】
第２条件は、切換指令が出力された全ダンパ（41〜48）について、切換動作の完了が確定するという条件である。第２条件が成立するか否かは判定部（66）で判定される。異常検知部（65）は、第２条件が成立すると、異常待機フラグをオフ状態に設定する。異常検知部（65）は、異常待機フラグをオフ状態に設定すると、圧縮機制御部（61）に圧縮機（53）の停止解除指令を出力すると共に、ファン制御部（62）に給気ファン（26）及び排気ファン（25）の両ファンの停止解除指令を出力する。圧縮機制御部（61）は、停止解除指令を受けると圧縮機（53）を再び起動させる。また、ファン制御部（62）も、停止解除指令を受けると、給気ファン（26）及び排気ファン（25）を再び起動させる。なお、圧縮機（53）が起動する際には、四方切換弁（54）及び電動膨張弁（55）は圧縮機（53）の停止前の状態に保持される。
【００９８】
第３条件は、第３−１条件と第３−２条件と第３−３条件の３つの条件から構成されている。第３−１条件は、ダンパタイマ（68）の計測時間が第２基準時間（例えば２００秒）に達した時点で、つまり切換指令の出力時点からの経過時間が第２基準時間に達した時点で切換動作の完了が確定していないという条件である。第３−２条件は、異常計測カウンタ（69）の計測回数が５回に達するという条件である。第３−３条件は、切換指令を受けた全てのダンパ（41〜48）について切換動作の完了が確定している状態で、少なくとも１つのダンパについて、現在値保持部（67）の現在値と、当該切換動作の指示値とが相違する状態が所定時間（例えば２秒間）継続するという条件である。第３条件は、第３−１条件と第３−２条件と第３−３条件の少なくとも１つが成立した場合に成立する。第３条件が成立するか否かは判定部（66）で判定される。
【００９９】
なお、第３−３条件を用いることで、リミットスイッチの出力の検出を行う第３基準時間に達する時点まで、ダンパ（41〜50）が切換動作の完了時点の状態を維持しているか否かが確認される。従って、全てのダンパ（41〜48）の切換動作の完了後にダンパ（41〜50）が意図せず動作するような事態が検知される。
【０１００】
異常検知部（65）は、第３条件が成立すると、全てのダンパ（41〜48）のダンパモータを停止させる。また、異常検知部（65）は、圧縮機制御部（61）に圧縮機（53）の停止指令を出力すると共に、ファン制御部（62）に給気ファン（26）及び排気ファン（25）の両ファンの停止指令を出力する。圧縮機制御部（61）は、停止指令を受けると圧縮機（53）を停止させる。また、ファン制御部（62）も、停止指令を受けると、給気ファン（26）及び排気ファン（25）を停止させる。
【０１０１】
また、切換制御部（64）は、第３条件が成立すると、第３条件が成立したダンパ以外のダンパ（41〜48）のうち現在値が「開」であるダンパに対して、指示値を「閉」とする切換指令を出力する。これにより、故障が確定したダンパ以外の全てのダンパ（41〜48）が閉状態になるので、故障が確定したダンパの判別が容易になる。
【０１０２】
また、この実施形態では、ダンパ（41〜48）の故障を確定させるまで前段階で、給気ファン（26）及び排気ファン（25）を停止させるか否かが判断されている。つまり、故障確定フラグよりも基準時間が短い異常待機フラグを設けて、切換指令の出力時点からの経過時間が第１基準時間に達した時点で、両ファン（25,26）を停止させるか否かが判断されている。このため、ダンパ（41〜48）の故障を確定させるまでの比較的長い時間に亘って、所望の機能が発揮されない状態で、室内への送風が継続されることが回避される。
【０１０３】
−実施形態の効果−
本実施形態では、切換動作におけるダンパ（41〜50）の異常を個別に検知する異常検知部（65）を設けることで、切換動作におけるダンパ（41〜50）の異常を検知することが可能になるようにしている。ダンパ（41〜50）の異常が検知された状態では、ダンパ（41〜50）によって閉じられるべき空気流通口に空気が流通したり、ダンパ（41〜50）によって開けられるべき空気流通口で空気の流れが妨げられたりしている。つまり、異常が検知されたダンパ（41〜50）では、意図する空気の流れが妨げられている。従って、異常検知部（65）を設けることで、ケーシング（11）内の空気の流通経路が意図しない状態になっていることを検知することができる。
【０１０４】
また、本実施形態では、ダンパ（41〜50）の異常が検知された場合に、異常が検知されたダンパ（41〜50）が開閉する空気流通口へ向かう空気の流れが止められる。ここで、開状態になるはずのダンパ（41〜50）が閉状態になっている場合のダンパ（41〜50）の異常では、本体は空気が流通するはずの空気流通口がダンパ（41〜50）によって塞がれているので、その空気流通口へ空気を送るファン（25,26）の負荷が増大し、そのファン（25,26）が故障するおそれがある。また、閉状態になるはずのダンパ（41〜50）が開状態になっている場合のダンパ（41〜50）の異常では、本体は空気が流通しないはずの空気流通口が開いているので、例えば除湿運転の際に加湿された空気が給気側へ流入したり、加湿運転の際に除湿された空気が給気側へ流入するおそれがある。これに対して、本実施形態では、ダンパ（41〜50）の異常が検知された場合に、異常が検知されたダンパ（41〜50）が開閉する空気流通口へ向かう空気の流れが止められる。このため、上述したようなファン（25,26）の故障や、例えば本来は給気側へ流れない空気が給気側へ流れるような不具合を回避することができる。
【０１０５】
また、本実施形態では、ダンパ（41〜50）の異常が検知された場合に、吸着熱交換器に冷媒を送る圧縮機（53）が停止されるようにしている。ここで、ダンパ（41〜50）に異常がある場合には、蒸発器として動作する吸着熱交換器（51,52）に空気が供給されないおそれがある。そして、このような状態で圧縮機（53）の運転が継続されると、蒸発器での蒸発量が減少するので、圧縮機（53）で液圧縮が生じる。また、ダンパ（41〜50）に異常がある場合には、凝縮器として動作する吸着熱交換器（51,52）に空気が供給されないおそれもある。そして、このような状態で圧縮機（53）の運転が継続されると、凝縮器での凝縮量が減少するので、冷凍サイクルの高圧圧力が上昇する。本実施形態では、上述したように、ダンパ（41〜50）の異常が検知された場合に圧縮機（53）が停止される。このため、蒸発器として動作する吸着熱交換器（51,52）や、凝縮器として動作する吸着熱交換器（51,52）に空気が供給されない状態で圧縮機（53）の運転が継続されることを回避することができる。従って、ダンパ（41〜50）の異常に起因する圧縮機（53）で液圧縮や冷凍サイクルの高圧圧力の上昇を回避することができる。
【０１０６】
また、本実施形態では、切換指令の出力時点からの経過時間が第２基準時間に達するまで切換動作を継続しても切換動作が完了しないダンパ（41〜50）が、切換動作が停止される。つまり、切換指令の出力時点からの経過時間が第２基準時間に達するまで切換動作を行っても切換動作が完了しないダンパ（41〜50）は、これ以上切換動作を継続しても切換動作を完了させることができないと判断して、切換動作が停止される。従って、ダンパ（41〜50）の切換動作を完了させることができるか否かを十分に見極めた上で、切換動作を完了できないダンパ（41〜50）の切換動作が無駄に継続されることを防止できる。
【０１０７】
また、本実施形態では、異常の検知回数が所定回数に達したダンパ（41〜50）が停止されるようにしている。つまり、異常が多いと判断されたダンパ（41〜50）が停止される。このため、異常が多いダンパ（41〜50）を認識することができるので、そのダンパ（41〜50）に対して修理するなどの措置を取ることができる。
【０１０８】
また、本実施形態では、ダンパ（41〜50）の切換動作の完了後にダンパ（41〜50）が意図せず動作するような事態が検知される。このため、ダンパ（41〜50）の切換動作の完了後に、ケーシング（11）内の空気の流通経路が意図しない状態になっていることを検知することができる。
【０１０９】
また、本実施形態では、ケーシング（11）内にバイパス通路（81,82）が形成された調湿装置において、バイパス通路（81,82）のダンパ（41〜50）についても切換動作における異常を検知することができるようにしている。従って、バイパス通路（81,82）を含めてケーシング（11）内の空気の流通経路が意図しない状態になっていることを検知することができる。
【０１１０】
−実施形態の変形例１−
本実施形態の冷媒回路（56）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１１１】
−実施形態の変形例２−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【０１１２】
−実施形態の変形例３−
上記実施形態では、調湿装置（10）が次のように構成されていてもよい。
【０１１３】
図１３に示すように、本変形例の調湿装置（10）は、冷媒回路（100）と２つの吸着素子（111,112）とを備えている。冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えている。各吸着素子（111,112）には多数の空気通路が形成されており、この空気通路を通過する際に空気が吸着剤と接触する。
【０１１４】
本変形例の調湿装置（10）は、除湿換気運転と、加湿換気運転と、単純換気運転とを選択的に行う。
【０１１５】
除湿換気運転中や加湿還気運転中の調湿装置（10）は、第１動作と第２動作を所定の時間間隔で交互に繰り返し行う。除湿換気運転中の調湿装置（10）は、室外空気を第１空気として取り込み、室内空気を第２空気として取り込む。一方、加湿換気運転中の調湿装置（10）は、室内空気を第１空気として取り込み、室外空気を第２空気として取り込む。
【０１１６】
先ず、除湿換気運転及び加湿還気運転の第１動作について、図１３(Ａ)を参照しながら説明する。第１動作中の調湿装置（10）は、凝縮器（102）で加熱された第２空気を第１吸着素子（111）へ供給する。第１吸着素子（111）では、吸着剤が第２空気によって加熱され、吸着剤から水分が脱離する。また、第１動作中の調湿装置（10）は、第１空気を第２吸着素子（112）へ供給し、第１空気中の水分を第２吸着素子（112）に吸着させる。第２吸着素子（112）に水分を奪われた第１空気は、蒸発器（104）を通過する際に冷却される。
【０１１７】
次に、除湿換気運転及び加湿還気運転の第２動作について、図１３(Ｂ)を参照しながら説明する。第２動作中の調湿装置（10）は、凝縮器（102）で加熱された第２空気を第２吸着素子（112）へ供給する。第２吸着素子（112）では、吸着剤が第２空気によって加熱され、吸着剤から水分が脱離する。また、第１動作中の調湿装置（10）は、第１空気を第１吸着素子（111）へ供給し、第１空気中の水分を第１吸着素子（111）に吸着させる。第１吸着素子（111）に水分を奪われた第１空気は、蒸発器（104）を通過する際に冷却される。
【０１１８】
そして、除湿換気運転中の調湿装置（10）は、除湿された第１空気（室外空気）を室内へ供給し、吸着素子（111,112）から脱離した水分を第２空気（室内空気）と共に室外へ排出する。また、加湿換気運転中の調湿装置（10）は、加湿された第２空気（室外空気）を室内へ供給し、吸着素子（111,112）に水分を奪われた第１空気（室内空気）を室外へ排出する。
【０１１９】
単純換気運転中の調湿装置（10）では、冷媒回路（100）の圧縮機（101）が停止状態になると共に、第１吸着素子（111）と第２吸着素子（112）のうち一方を室外空気が通過して他方を室内空気が通過する。そして、室外空気は吸着素子（111,112）を通過後に室内へ供給され、室内空気は吸着素子（111,112）を通過後に室外へ排出される。単純換気運転中の調湿装置（10）において、室外空気や室内空気の流通経路の切り換えは行われない。
【０１２０】
なお、以上の実施形態は、本質的に好ましい例示であって、本発明、その適用物、あるいはその用途の範囲を制限することを意図するものではない。
【産業上の利用可能性】
【０１２１】
以上説明したように、本発明は、室内の湿度調節を行うための調湿装置について有用である。
【図面の簡単な説明】
【０１２２】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１動作中の動作を示すものであり、(Ｂ)は第２動作中の動作を示すものである。
【図４】調湿装置のコントローラの概略構成図である。
【図５】調湿装置のダンパ制御部の概略構成図である。
【図６】除湿換気運転の第１動作における空気の流れを示す調湿装置の概略の平面図、右側面図、及び左側面図である。
【図７】除湿換気運転の第２動作における空気の流れを示す調湿装置の概略の平面図、右側面図、及び左側面図である。
【図８】加湿換気運転の第１動作における空気の流れを示す調湿装置の概略の平面図、右側面図、及び左側面図である。
【図９】加湿換気運転の第２動作における空気の流れを示す調湿装置の概略の平面図、右側面図、及び左側面図である。
【図１０】単純換気運転における空気の流れを示す調湿装置の概略の平面図、右側面図、及び左側面図である。
【図１１】ダンパの指示値及び現在値と、リミットスイッチの状態の遷移を表す図表である。
【図１２】異常検知部の各フラグの変化を示すブロック図である。
【図１３】実施形態の変形例３の調湿装置を示す概略構成図であって、(Ａ)は第１動作中の動作を示すものであり、(Ｂ)は第２動作中の動作を示すものである。
【符号の説明】
【０１２３】
10      調湿装置
11      ケーシング 
25      排気ファン
26      給気ファン
37      第１調湿室
38      第２調湿室
41〜50  ダンパ
51      第１吸着熱交換器（吸着用部材）
52      第２吸着熱交換器（吸着用部材）
53      圧縮機
56      冷媒回路
64      切換制御部（切換制御手段）
65      異常検知部（異常検知手段）
81      第１バイパス通路（バイパス通路）
82      第２バイパス通路（バイパス通路）
【図１】
0005092693.tif 000002
【図２】
0005092693.tif 000003
【図３】
0005092693.tif 000004
【図４】
0005092693.tif 000005
【図５】
0005092693.tif 000006
【図６】
0005092693.tif 000007
【図７】
0005092693.tif 000008
【図８】
0005092693.tif 000009
【図９】
0005092693.tif 000010
【図１０】
0005092693.tif 000011
【図１１】
0005092693.tif 000012
【図１２】
0005092693.tif 000013
【図１３】
0005092693.tif 000014